(57)【要約】      （修正有）【課題】吸湿発熱性繊維と水の接触が容易に把握することができ、かつ吸湿発熱性繊維の発熱性を手を汚さずに簡単な作業で容易に体感することができる、簡単な構造の吸湿発熱性繊維の発熱体感キットを提供する。【解決手段】水４を入れられかつ端部に弱シール部５を有する内側密封袋状物２と、吸湿発熱性繊維３とを内側に含む外側密封袋状物１からなる発熱体感キットであって、内側密封袋状物２内の水を外側密封袋状物１の外側から押すことによって、内側密封袋状物２の水４を弱シール部５の方に押しやって弱シール部５のシールを破壊し、内側密封袋状物２内から水４が出て吸湿発熱性繊維３と接触させることができるように構成されている。【選択図】図１
0003205973.tif 000002
【実用新案登録請求の範囲】
【請求項１】
水を入れられかつ端部に弱シール部を有する内側密封袋状物と、吸湿発熱性繊維とを内側に含む外側密封袋状物からなる発熱体感キットであって、内側密封袋状物内の水を外側密封袋状物の外側から押すことによって、内側密封袋状物の水を弱シール部の方に押しやって弱シール部のシールを破壊し、内側密封袋状物内から水が出て吸湿発熱性繊維と接触させることができるように構成されていることを特徴とする吸収発熱性繊維の発熱体感キット。
【請求項２】
水に触れると変色する湿分感受性基材が、外側密封袋状物の内側でかつ内側密封袋状物の外側に入れられていることを特徴とする請求項１に記載の吸収発熱性繊維の発熱体感キット。
【考案の詳細な説明】
【技術分野】
【０００１】
本考案は、吸湿発熱性繊維の発熱性を手を汚さずに容易に体感することができる、吸湿発熱性繊維の発熱体感キットに関する。
【背景技術】
【０００２】
従来から様々な吸湿発熱性繊維が提案されている。吸湿発熱性繊維は、水を吸収すると発熱する効果を有する繊維であり、例えば親水性基を持つポリマーを架橋してなる化学変性体を有するアクリル酸系吸湿発熱性繊維や、セルロース繊維などにアミノ基、カルボキシル基、又はヒドロキシル基などの官能基を導入した吸湿発熱性繊維が代表的である。
【０００３】
これらの吸湿発熱性繊維の発熱効果の体感は、現状では、適量の吸湿発熱性繊維を手に持ち、これに水をスプレー等で噴射した後に吸湿発熱性繊維を強く握ることによって行なわれている。
【０００４】
しかしながら、このような方法では、体感する人の手が吸湿発熱性繊維や水の材料で汚れてしまう問題があった。また、これらの材料の保管や体感時の小分けなどの管理が必要であり、極めて煩雑な作業を伴なう問題があった。
【０００５】
かかる問題に対して、出願人は、吸湿発熱性繊維を入れた第一室と、水を入れた第二室とを含む密封袋状物からなり、第一室と第二室が弱シール部を介して分離されており、密封袋状物を端部から巻いていくことによって、第二室の水を弱シール部の方に押しやって弱シール部のシールを破壊し、第二室の水と第一室の吸湿発熱性繊維を接触させることができるように構成されている吸湿発熱性繊維の発熱体感キットを提案した（特許文献１参照）。
【０００６】
この発熱体感キットは、材料に触れずに吸湿発熱性繊維の発熱を体感できるが、外側の密封袋状物を端部から巻くことを要求するので、体感者にとって非常に煩わしく、また弱シール部の破壊状況を即座に把握できない問題があった。
【先行技術文献】
【特許文献】
【０００７】
【特許文献１】実用新案登録第３１９５０６５号
【考案の概要】
【考案が解決しようとする課題】
【０００８】
本考案は、上記の従来技術の問題に鑑み創案されたものであり、その目的は、吸湿発熱性繊維と水の接触が容易に把握することができ、かつ吸湿発熱性繊維の発熱性を手を汚さずに簡単な作業で容易に体感することができる、簡単な構造の吸湿発熱性繊維の発熱体感キットを提供することにある。
【課題を解決するための手段】
【０００９】
本考案者は、上記目的を達成するために簡単な作業で材料に触れずに吸湿発熱性繊維と水の接触を確認して吸湿発熱性繊維の発熱性を体感できる簡易なキットについて鋭意検討した結果、外側密封袋状物の内側に、水を入れた内側密封袋状物と、吸湿発熱性繊維とを入れ、さらに内側密封袋状物の端部に弱シール部を設けて外側から内側密封袋状物を押すことによって弱シール部から水が出て吸湿発熱性繊維と水が接触できること、そして水に触れると変色する湿分感受性基材を内側密封袋状物の外側に入れることによって弱シール部の破壊状況（水の流出）を容易に把握できることを見出し、本考案の完成に至った。
【００１０】
即ち、本考案は、以下の（１）、（２）の構成を有するものである。
（１）水を入れられかつ端部に弱シール部を有する内側密封袋状物と、吸湿発熱性繊維とを内側に含む外側密封袋状物からなる発熱体感キットであって、内側密封袋状物内の水を外側密封袋状物の外側から押すことによって、内側密封袋状物の水を弱シール部の方に押しやって弱シール部のシールを破壊し、内側密封袋状物内から水が出て吸湿発熱性繊維と接触させることができるように構成されていることを特徴とする吸収発熱性繊維の発熱体感キット。
（２）水に触れると変色する湿分感受性基材が、外側密封袋状物の内側でかつ内側密封袋状物の外側に入れられていることを特徴とする（１）に記載の吸収発熱性繊維の発熱体感キット。
【考案の効果】
【００１１】
本考案の吸湿発熱性繊維の発熱体感キットは、外側密封袋状物の内側に、水を入れた内側密封袋状物と、吸湿発熱性繊維とを入れ、内側密封袋状物を外側密封袋状物の外側から押すことによって吸湿発熱性繊維と水が接触して発熱するようにしているので、体感を希望する人がこれらの材料によって手を汚さずに簡単な作業で発熱性を容易に体感することができる。また、水に触れると変色する湿分感受性基材が内側密封袋状物の外側に入れられているので、弱シール部が破壊されて水が内側密封袋状物から出ると、その状況を容易に把握することができる。
【図面の簡単な説明】
【００１２】
【図１】図１は、本考案の吸湿発熱性繊維の発熱体感キットの一例の概略図を示す。
【考案を実施するための形態】
【００１３】
本考案の吸湿発熱性繊維の発熱体感キットの実施形態について、以下、図面を参照しながら詳述するが、本考案はこれらに限定されるものではない。
【００１４】
本考案の吸湿発熱性繊維の発熱体感キットは、図１に示すように、全体の包装物の外側に外側密封袋状物１があり、その内側に内側密封袋状物２と吸湿発熱性繊維３が入れられて構成されている。内側密封袋状物２には水４が入れられ、発熱体感前の通常時にはこの水４と吸湿発熱性繊維３は互いに接触しないようになっている。内側密封袋状物２は、その端部に弱シール部５を有しており、内側密封袋状物２を外側密封袋状物１の外側から押すことによって、内側密封袋状物２の中の水４が弱シール部５の方に押しやられて弱シール部５を破壊するように構成されている。この内側密封袋状物２の弱シール部５の破壊により、内側密封袋状物２の中の水が流出して外側密封袋状物１内の吸湿発熱性繊維３と接触される。
【００１５】
外側密封袋状物１は、内側密封袋状物２と吸湿発熱性繊維３がともに内側に入り、外側に出ないような構造を有する限り様々な形状をとることができ、例えば平面視で長方形、正方形などの四角形、その他の多角形の形状を有する袋状物であることが好ましい。外側密封袋状物１の大きさは、取扱いの容易性の点から平面視で縦横がそれぞれ３ｃｍ〜２０ｃｍの寸法であることが好ましい。外側密封袋状物としては、水蒸気の透過を抑制するバリア性を有するフィルムやシートを用いることが好ましい。水蒸気の透過を抑制するバリア性は、バリア性を有するフィルムの積層や樹脂をコーティングすることによって得ることができる。外側密封袋状物１は、内側の内容物が容易に視認できるように透明であることが好ましい。
【００１６】
内側密封袋状物２は、内部に水４を入れられるが、その状態で全体が外側密封袋状物１の内側に折りたたまずに余裕を持って入る限り様々な大きさ及び形状をとることができ、外側密封袋状物１と同様の形状を有することができる。内側密封袋状物２の大きさは、取扱いの容易性の点から平面視で縦横がそれぞれ１ｃｍ〜８ｃｍの寸法であることが好ましい。内側密封袋状物２としては、水蒸気の透過を抑制するバリア性を有するフィルムやシートを用いることが好ましい。水蒸気の透過を抑制するバリア性は、バリア性を有するフィルムの積層や樹脂をコーティングすることによって得ることができる。内側密封袋状物は、内側の水が容易に視認できるように透明であることが好ましい。
【００１７】
内側密封袋状物２は、その端部において弱シール部５が設けられる。弱シール部５は、端部の一部に設けてもよいし、全部に設けてもよいが、体感者の取扱いの容易性の点から端部の一部（特に一辺）のみに設けることが好ましい。弱シール部５は、当業者に公知の材料に基づいて形成すればよく、その接着性の程度は、通常時は十分な接着性が維持され、内側密封袋状物２からの水の流出が完全に防止されるが、外側密封袋状物１の外側から内側密封袋状物２内の水４を押し（例えば図１のように矢印方向に押し）、水４を弱シール部５の方に押しやった場合に、弱シール部５のシール（接着部）が容易に破壊され、水４が内側密封袋状物２から流出して吸湿発熱性繊維との接触が可能になるように設定される。弱シール部５の例としては、直鎖状低密度ポリエチレンが挙げられる。また、弱シール材料は、接着面を十分に取ることで密封袋状物の周囲を封止接着するために用いることもできる。
【００１８】
本考案の発熱体感キットに使用される吸湿発熱性繊維３としては、水４と接触すると発熱する機能を有する限り特に制限はなく、従来公知の様々な繊維を使用することができる。例えば、親水基を持つポリマーを架橋してなる化学変性体を有するアクリル酸系吸湿発熱繊維や、合成繊維やセルロース繊維にアミノ基、カルボキシル基又はヒドロキシル基を導入した湿潤発熱性繊維が例示される。具体的には、アクリレート系繊維である東洋紡社製のモイスケア（東洋紡株式会社  登録商標）を挙げることができる。また、吸湿発熱性化合物を練り込んだ繊維や吸湿発熱性化合物を含む繊維表面処理剤を繊維表面に固着させた繊維であっても良い。吸湿発熱性化合物としては、アミノ基、ヒドロキシル基、スルホ基、カルボキシル基、リン酸基などを有する吸湿発熱性が得られる化合物であれば特に限定されない。一つの発熱体感キットに使用される吸湿発熱性繊維の量は、１〜３０ｇが好ましく、２〜２０ｇがより好ましい。
【００１９】
本考案の発熱体感キットに使用される水４としては、水道水、天然水、蒸留水、イオン交換水など様々な種類の水を使用することができ、着色剤、防腐剤などの添加物を適宜混合することができる。一つの発熱体感キットに使用される水の量は、１〜３０ｇが好ましく、３〜２０ｇがより好ましい。
【００２０】
本発明の発熱体感キットでは、図１に示すように外側密封袋状物１の内側でかつ内側密封袋状物２の外側に水に触れると変色する湿分感受性基材６が入れられることが好ましい。内側密封袋状物２の弱シール部５が破壊されて外側に水４が出た場合にそれを感受した湿分感受性基材６の変色によりその状況を容易に把握することができる。湿分感受性基材６としては、湿分に接触すると（例えば相対湿度が７０％以上になると）、基材が青色からピンク色へ、あるいは白色から青色へなどの変色を示す湿度インジケーターを使用することができる。
【００２１】
本発明の発熱体感キットは、当業者の公知の製造方法によって作製することができる。例えば、内側密封袋状物２は、水蒸気（湿分）の透過を抑制するバリア性ポリエステル又はバリア性ナイロンなどの矩形の透明フィルム基材を２枚用意し、それらを重ねて周囲の３辺をポリエチレンなどの層で熱封止し、内部に水を入れた後に残りの１辺を弱シール性の特殊な直鎖低密度ポリエチレンなどの層で熱封止して作製する。次いで外側密封袋状物１の材料として内側密封袋状物２と同種のより大きい寸法のフィルム基材を２枚用意し、それらを重ねて周囲の３辺をポリエチレンなどの層で熱封止し、上述の内部に水を入れた内側密封袋状物２と吸湿発熱性繊維３と湿分感受性基材６とを外側密封袋状物１の材料の内部に入れた後に残りの１辺をポリエチレンなどの層で熱封止することによって本発明の発熱体感キットを製造することができる。
【００２２】
本考案の発熱体感キットで吸湿発熱性繊維の発熱性を体感するには、例えば図１に示すように、内側密封袋状物２内の水４を外側密封袋状物１の外側から矢印の方向に従って押すことによって行なうことができる。これにより、水４は、弱シール部５に押しやられて内側密封袋状物２の弱シール部５を破壊し、内側密封袋状物２から水４が出て吸湿発熱性繊維３と接触することによって吸湿発熱性繊維３が発熱し、外側密封袋状物１の外側から手で触れることでこの発熱性を体感することができる。また、このとき内側密封袋状物２から水４が流出することにより、湿分感受性基材６は変色し、弱シール部５の破壊を外部から容易に視認することができる。
【産業上の利用可能性】
【００２３】
本考案の発熱体感キットは、吸湿発熱性繊維や水に直接触れることなく、簡単な方法で吸湿発熱性繊維の発熱性を体感できるので、極めて有用である。また、吸湿発熱性繊維の体感状況を容易に視認できる点も極めて有用である。
【符号の説明】
【００２４】
１      外側密封袋状物
２      内側密封袋状物
３      吸湿発熱性繊維
４      水
５      弱シール部
６      湿分感受性基材
【図１】
0003205973.tif 000003